(57)【特許請求の範囲】
【請求項１】
インベントリー手段により硬貨収容部内から硬貨を強制的に払出すインベントリー処理を行わせるようにした硬貨処理装置において、
インベントリー禁止解除処理設定がなされている状態において、前記硬貨収容部が装置本体から取り外されたと判断した場合に、前記インベントリースッイチによる特定の操作を行うとインベントリー禁止解除処理設定からインベントリー禁止処理設定に変更し、硬貨収容部が再び前記装置本体に装着されると前記インベントリー禁止処理設定の状態で硬貨処理を行わせ、またインベントリー禁止処理設定がなされている状態において、前記硬貨収容部が装置本体から取り外されたと判断した場合に、前記インベントリースッイチによる特定の操作を行うとインベントリー禁止処理設定からインベントリー禁止解除処理設定に変更し、硬貨収容部が再び前記装置本体に装着されると前記インベントリー禁止解除処理設定の状態で硬貨処理を行わせるようにする制御装置を具えたことを特徴とする硬貨処理装置。
【請求項２】
前記硬貨収容部はラッチ手段を介し着脱自在に装着され、かつ、前記硬貨収容部には前記ラッチ手段のラッチ解除を規制するキーシリンダ式ロック手段が配設されていることを特徴とする請求項1記載の硬貨処理装置。
【請求項３】
前記ラッチ手段を前記硬貨収容部の上部中央前面側に設け、前記ラッチ手段は、ラッチ及びラッチ解除を図る移動可能なラッチレバーを有するとともに、前記キーシリンダ式ロック手段はキー操作により回動するストッパー片を有し、該ストッパー片を前記ラッチレバーに当接させることにより該ラッチレバーの移動を停止させ、これによりラッチ手段のラッチ解除を規制するようにしたことを特徴とする請求項2記載の硬貨処理装置。
【発明の詳細な説明】
【０００１】
【発明の属する技術分野】
この発明は自動販売機、両替機、サービス機器等に使用され、投入硬貨を金種別に選別収容するとともに、選別収容された硬貨を釣銭として払い出す硬貨処理装置に関する。
【０００２】
【従来の技術】
自動販売機、両替機、サービス機器等には、従来から投入硬貨を金種別に選別収容するとともに、この選別収容された硬貨を釣銭として払い出す硬貨処理装置が装着されている。
【０００３】
このような硬貨処理装置１は、大別すると以下の４つの部分から構成されている。
【０００４】
（１）硬貨処理装置の筐体を構成する装置本体。
【０００５】
（２）この装置本体の最上部に配設され、投入硬貨の正偽と正貨を金種別に選別する硬貨選別部。
【０００６】
（３）この硬貨選別部の下方に位置する前記装置本体内に配設され、この硬貨選別部により金種別に選別された正貨をそれぞれ金種別に蓄積収容する複数のコインチューブからなるカセット式の硬貨収容部。
【０００７】
（４）この硬貨収容部の下方に位置する前記装置本体内に配設され、前記硬貨収容部内に収容された正貨を釣り銭として払い出す硬貨払出し部。
【０００８】
一方、上述した構成装置のうち特に硬貨収容部は釣り銭補充等の保守点検作業を容易に行わせるため、上述した装置本体に対し着脱自在に装着されている。
【０００９】
また、前述した装置本体と硬貨収容部との間には、ラッチ手段が介在され、通常使用時はこのラッチ手段により硬貨収容部４が装置本体から脱落しないように構成されている。
【００１０】
そして、釣り銭回収等の保守点検時には上述したラッチ手段を操作することにより、誰でも簡単に装置本体と硬貨収容部との間のラッチを解除し、硬貨収容部を装置本体から取り外せるようにしている。
【００１１】
一方、上述した硬貨処理装置には、硬貨収容部内に収容された硬貨の強制回収処理、即ちインベントリー処理を行わせるため、各コインチューブ内から硬貨を払い出すためのインベントリー手段が配設されている。
【００１２】
なお、このインベントリー手段は、各コインチューブ毎に収容された硬貨を独立して払出す複数個のインベントリースイッチ、また各コインチューブ内に収容する硬貨の枚数を自動的に調節する自動つり銭合わせ用スイッチ等の各種スイッチ、およびパイロットランプ等により構成されている。
【００１３】
したがって、このインベントリー手段の各インベントリースイッチを押圧操作すると、硬貨払出し部を介し硬貨収容部の対応するコインチューブ内から強制的に硬貨が払い出されるインベントリー処理が行われることとなる。
【００１４】
【発明が解決しようとする課題】
ところで、上述した従来の硬貨処理装置では、インベントリー手段の各スイッチが常時作動可能状態となっているから、例えば上述した自動販売機、両替機、サービス機器等の保守点検作業の際に、硬貨処理装置を機器の外部に露出させると、何者かによって無断でインベントリー手段の各インベントリースイッチが操作され、そのためインベントリー処理が行われて硬貨収容部内から硬貨が払出されて持ち去られる虞があった。
【００１５】
この発明は上述した事情に鑑み、特定の場合以外はインベントリー処理ができないようにした硬貨処理装置を提供することを目的とする。
【００１６】
【課題を解決するための手段】
上述した課題を解決するため、この発明では、インベントリー手段により硬貨収容部内から硬貨を強制的に払出すインベントリー処理を行わせるようにした硬貨処理装置において、インベントリー禁止解除処理設定がなされている状態において、前記硬貨収容部が装置本体から取り外されたと判断した場合に、前記インベントリースッイチによる特定の操作を行うとインベントリー禁止解除処理設定からインベントリー禁止処理設定に変更し、硬貨収容部が再び前記装置本体に装着されると前記インベントリー禁止処理設定の状態で硬貨処理を行わせ、またインベントリー禁止処理設定がなされている状態において、前記硬貨収容部が装置本体から取り外されたと判断した場合に、前記インベントリースッイチによる特定の操作を行うとインベントリー禁止処理設定からインベントリー禁止解除処理設定に変更し、硬貨収容部が再び前記装置本体に装着されると前記インベントリー禁止解除処理設定の状態で硬貨処理を行わせるようにする制御装置を具えたことを特徴としている。
【００１７】
【発明の実施の形態】
以下、この発明に係わる硬貨処理装置の一実施例を詳述する。
【００１８】
図１はこの発明に係わる硬貨処理装置１の概念斜視図である。
【００１９】
この硬貨処理装置１も従来と同様に、大別すると以下の４つの部分から構成されている。
【００２０】
即ち、
（１）硬貨処理装置１の筐体を構成する断面コの字形状の装置本体２。
【００２１】
（２）この装置本体２の最上部に着脱自在に配設され、投入硬貨の正偽と正貨を金種別に選別する硬貨選別部３。
【００２２】
（３）この硬貨選別部３の下方に位置する前記装置本体２内に配設され、この硬貨選別部２により金種別に選別された正貨をそれぞれ金種別に蓄積収容する複数のコインチューブからなるカセット式の硬貨収容部４。
【００２３】
（４）この硬貨収容部４の下方に位置する前記装置本体２内に配設され、前記硬貨収容部４内に収容された正貨を釣り銭として払い出す硬貨払出し部５。
【００２４】
また、上述した各構成部分のうち特に複数のコインチューブからなる硬貨収容部４は釣り銭補充等の保守点検作業を容易に行わせるため、上述した装置本体２に対しラッチ手段６を介して着脱自在に装着されている。
【００２５】
このラッチ手段６は、図１の正面拡大図で示す図２のように、硬貨収容部４のフロントパネル１０とリアパネル（後述する）との間に、上下方向に沿ってスライド自在に配設されたラッチレバー１１から構成されている。
【００２６】
このラッチレバー１１は、上方に一対の突起１２ａ、１２ｂが形成された正面矩形状の枠体１２からなり、その下方にはオペレータ操作用の湾曲した指掛け１２ｃが形成され、この指掛け１２ｃはフロントパネル１０に穿設された矩形状のオペレータ操作孔１０ａから露出している。
【００２７】
なお、図２では、上述した枠体１２の一対の突起１２ａ、１２ｂが硬貨選別部３の下端に形成された図示せぬ係合孔内に嵌挿し、硬貨収容部４を硬貨選別部３を介して装置本体２にラッチさせている。
【００２８】
また、上述したラッチレバー１１を構成する枠体１２の下端からは、略ハの字形状に一対の弾性舌片１２ｄ、１２ｅが一体に突設され、その各先端１２ｄ´、１２ｅ´は、それぞれ対応するフロントパネル１０の背面に形成された一対のリブ１０ｂ、１０ｃ上面にスライド自在に当接している。
【００２９】
また、上述した矩形状のオペレータ操作孔１０ａの下方に位置するフロントパネル１０には、オペレータがラッチレバー１１を操作する際に使用する指掛け用凹部１０ｄが形成されている。
【００３０】
一方、この硬貨収容部４には、前記オペレータ操作孔１０ａと指掛け用凹部１０ｄと間のフロントパネル１０に、ラッチ手段６による硬貨収容部４のラッチ解除を規制するキーシリンダ式ロック手段１３が配設されている。
【００３１】
このキーシリンダ式ロック手段１３は、後述するキーの操作により回動するキーシリンダ１４と、このキーシリンダ１４の先端に固着され、該キーシリンダ１４と共に回動する矩形状のストッパー片１５とから構成されている。
【００３２】
このようなキーシリンダ式ロック手段１３によると、図２の初期位置では、キーシリンダ式ロック手段１３のストッパー片１５がラッチレバー１１の指掛け１２ｃの下端とが当接しているので、ラッチレバー１１の下動が停止し、これによりラッチ手段６による硬貨収容部４のラッチ解除が規制されている。
【００３３】
したがって、図２で示すキーシリンダ式ロック手段１３の初期位置では、ストッパー片１５がラッチレバー１１の指掛け１２ｃの下端と当接し、当該ラッチレバー１１の下動を停止させているので、キーを持たないオペレータ、あるいは何者かによってラッチ手段６による硬貨収容部４のラッチを解除すべく、ラッチレバー１１の指掛け１２ｃを介してラッチレバー１１を下動させようとしても、ラッチレバー１１が下動せず、従って、枠体１２の一対の突起１２ａ、１２ｂと硬貨選別部３との係合（ラッチ）が依然として維持され、このため硬貨収容部４がキーを持たない何者かによって勝手に取り外されることはない。
【００３４】
一方、上述したラッチレバー１１による硬貨収容部４のラッチを解除し、当該硬貨収容部４を取り出すには、まず、図１と同一部分を同一符号で示す図３のように、キー１５を持つオペレータがキーシリンダ式ロック手段１３のキー溝１４ａ内に当該キー１５を差し込み、その後、矢印のように反時計方向へ回転させる操作を行う。
【００３５】
すると、図３の拡大正面図で示す図４のように（なお、図４ではキー１５の図示を省略している）、キーシリンダ式ロック手段１３のストッパー片１５がキー１５（図３）の回転に連動して反時計方向へ回転し、このためストッパー片１５とラッチレバー１１を構成する指掛け１２ｃとの当接を解除する。
【００３６】
この図４で示す状態において、オペレータが親指をオペレータ操作孔１０ａを介して指掛け１２ｃに当て、その他の指を指掛け用凹部１０ｄ内に嵌挿させた後、その手を強く握り締めれば、図５で示すように、ラッチレバー１１の指掛け１２ｃが一対の弾性舌片１２ｄ、１２ｅの付勢力に抗して矢印のように下動し、このため、ラッチレバー１１の一対の突起１２ａ、１２ｂと硬貨選別部３との係合が外れてラッチが解除される。
【００３７】
その後、オペレータが親指をオペレータ操作孔１０ａを介して指掛け１２ｃに当て、その他の指を指掛け用凹部１０ｄ内に嵌挿させたまま、硬貨収容部４を手前に引き出せば、当該硬貨収容部４は図６で示すように、装置本体２から取り外すことができ、この状態で釣り銭硬貨の回収あるいは補充等の保守点検作業を行うことができることとなる。
【００３８】
なお、図６で、符号２０、２１、２２、２３は硬貨収容部４に形成されたコインチューブ、符号２４は、フロントパネル１０の背面に配設されたリアパネルで、前述したラッチレバー１１は、このフロントパネル１０とリアパネル２４との間に配設されている。
【００３９】
なお、図６で示すように、釣り銭硬貨の補充等の保守点検作業を行った後、再び硬貨収容部４を装置本体２に取り付けるには、前述した操作とは逆の操作を行えば良い。
【００４０】
即ち、ラッチ手段６により硬貨収容部４と硬貨選別部３とをラッチさせた後、図３で示すキーシリンダ式ロック手段１３のキー溝１４ａ内に差し込んだキー１５を、今度は逆に時計方向へ回転させれば、図２で示すように、キーシリンダ式ロック手段１３のストッパー片１５とラッチレバー１１の指掛け１２ｃとが当接して、当該ラッチレバー１１の下動を停止させるので、この状態でキーを引き抜いてしまえばそのキーを持って操作しない限り、ラッチレバー１１のラッチを解除して硬貨収容部４の取り外しが出来ないこととなる。
【００４１】
なお、上記実施例ではラッチ手段６のラッチレバー１１により、硬貨収容部４を硬貨選別部３を介して装置本体２にラッチさせるようにしたが、上記実施例に限定されることなく、ラッチ手段６のラッチレバー１１を装置本体２の側方に対向する位置に配置して、装置本体２と硬貨収容部４との間を直接ラッチさせるようにしてもよい。
【００４２】
一方、図１で示すように、この硬貨処理装置１の硬貨選別３には、硬貨収容部４内に収容された硬貨の強制回収処理、即ちインベントリー処理を実行させるため、各コインチューブ２０、２１、２２、２３（図６）内から硬貨を払い出すためのインベントリー手段３０が配設されている。
【００４３】
なお、このインベントリー手段３０は、各コインチューブ２０、２１、２２、２３（図６）毎に収容された硬貨、および図示せぬ補助チューブ等から硬貨を独立して払出す複数個のインベントリースイッチ３１、３２、３３、３４、３５、３６、コインチューブの切り替えスイッチ３７、また各コインチューブ内に収容する硬貨の枚数を自動的に調節する自動つり銭合わせ用スイッチ３８等の各種スイッチ、およびパイロットランプ４０等により構成されている。
【００４４】
また、硬貨収容部４を装置本体２から取り外した状態を示す図７の概念斜視図で示すように、装置本体２内には、硬貨収容部４の着脱および硬貨収容部４の種類等を検出するカセットスイッチ５０が配設されている。なおこのカセットスイッチ５０は硬貨収容部４の背面から突設された突起５１と装置本体２内に配設されたフォトインタラプタ５３等からなり、この硬貨収容部４の突起５１を孔５２を介して装置本体２内に嵌挿するとフォトインタラプタ５３によりその有無が検出される。
【００４５】
一方、この硬貨処理装置１には図８のブロック図で示すように、当該硬貨処理装置１の駆動を制御するための制御装置４０が配設されている。
【００４６】
この制御装置４０は図１に示す硬貨選別部３を駆動して、投入硬貨の正偽および正貨の金種選別等の硬貨処理を行うとともに、釣銭がある場合は硬貨払出し部５を駆動し、硬貨収容部４から釣銭を払出す硬貨払出し処理を行う。
【００４７】
また、この制御装置４０は記憶部４１内に予め記録されたインベントリー処理に関する情報を読みだすとともに、図７で示すカセットスイッチ５０のＯＮ、ＯＦＦ信号を検出する。そしてこの制御装置４０はカセットスイッチ５０のＯＮ、ＯＦＦ信号と、前記インベントリー手段３０を構成するインベントリースイッチ３１、３２、３３、３４、３５、３６、切り替えスイッチ３７、自動つり銭合わせ用スイッチ３８等の各種スイッチのうち予め定められた特定操作、即ち特定のスイッチ操作に基づいてインベントリー手段３０によるインベントリー禁止設定あるいはインベントリー禁止解除設定とを行うようにしている。
【００４８】
なお、上述した記憶部４１は一度書き込んだ内容を何度でも消して変更できる読みだし専用メモリーにより構成されている。
【００４９】
次に上述した制御装置４０の作用を図９のフローチャートに基づいて詳細に説明する。
【００５０】
電源が投入されると、制御装置４０は記憶部４１に予め記憶されたインベントリー処理に関する情報を読みだし（ステップ１００）、その情報がインベントリー禁止の場合は、その情報に基づきインベントリー禁止処理設定を行う（ステップ１０１）。なお、ステップ１０１で制御装置４０はインベントリー禁止処理設定を行った場合は、その情報、即ちインベントリー禁止の情報を記憶部４１に書き込んで変更する。
【００５１】
一方、制御装置４０はステップ１００で、記憶部４１に記憶されたインベントリー処理に関する情報がインベントリー禁止でないと判断した場合は、その情報に基づきインベントリー禁止解除処理設定を行う（ステップ１０２）。なお、ステップ１０２で制御装置４０はインベントリー禁止解除処理設定を行った場合は、その情報、即ちインベントリー禁止解除の情報を記憶部４１に書き込んで変更する。
【００５２】
即ち、上述した制御装置４０によると、ステップ１０１でインベントリー禁止処理設定を行うと、インベントリー手段３０の各スイッチ３１、３２、３３、３４、３５、３６、３７、３８（図１）を押圧操作しても、各硬貨のインベントリー処理を行うことができなくなり、またステップ１０２でインベントリー禁止解除処理設定を行うと、インベントリー手段３０の各スイッチ３１、３２、３３、３４、３５、３６、３７、３８（図１）を押圧操作することにより各硬貨のインベントリー処理を行うことができるようになる。
【００５３】
次に制御装置４０は、図７で示すカセットスイッチ５０がＯＦＦとなったか否か、すなわち硬貨収容部４が装置本体２から取り外されたか否かを判断する（ステップ１０３）。
【００５４】
そして、制御装置４０は、カセットスイッチ５０がＯＦＦではない、即ち硬貨収容部４が依然として装置本体２に装着された状態であると判断した場合は、硬貨選別部３を駆動して、投入硬貨の正偽および正貨の金種選別等の硬貨処理を行う（ステップ１０４）。
【００５５】
またこのような硬貨処理を行った後、制御装置４０は釣銭がある場合は硬貨払出し部５を駆動し、硬貨収容部４から釣銭を払出す硬貨払出し処理を行う（ステップ１０５）。
【００５６】
そして、以後は前述したステップ１０３以降の処理を繰り返す。
【００５７】
一方、制御装置４０はステップ１０３でカセットスイッチ５０がＯＦＦであること、即ち硬貨収容部４が装置本体２から取り外されたと判断した場合は、次に、制御装置４０はステップ１０６で現在はインベントリー処理が可能か否か、即ちインベントリー禁止解除処理設定がなされているか否かを判断する。
【００５８】
そして、制御装置４０はステップ１０６で現在インベントリー禁止解除処理設定がなされていると判断した場合は、次にインベントリー手段３０を構成する各スイッチ３１、３２、３３、３４、３５、３６、３７、３８等のうち予め定められた特定のスイッチ操作がされたか否かを判断する（ステップ１０７）。
【００５９】
なお、この特定スイッチ操作とは、予め設定されたスイッチ操作、例えば切り替えスイッチ３７（図１）を一定時間（例えば５秒間）押圧操作する等の操作を指す。
【００６０】
なお、このような切り替えスイッチ３７（図１）を一定時間（例えば５秒間）押圧する操作とは別に、特定スイッチ操作として、例えばスイッチ３１とスイッチ３２とを同時に押圧する操作を特定スイッチ操作として予め設定するようにしても良い。
【００６１】
このように、制御装置４０はステップ１０６で現在インベントリー禁止解除処理設定がなされ、かつステップ１０７で特定スイッチの操作がなされたと判断した場合は、ステップ１０８でインベントリー禁止処理設定を行う。
【００６２】
そして制御装置４０は、ステップ１０９でカセットスイッチ５０がＯＮであるか否か、即ち硬貨収容部４が装置本体２に再び装着されたか否かを判断し、硬貨収容部４が装置本体２に再び装着されたと判断した場合はステップ１０３以降の処理を繰り返す。
【００６３】
即ち上述した制御装置４０は、ステップ１０３で硬貨収容部４が一旦装置本体２から取り外された後、ステップ１０６で現在インベントリー禁止解除処理設定がなされていると判断した場合は、ステップ１０７のインベントリー手段３０を構成するスイッチの特定スイッチ操作に基づき当該インベントリー手段３０によるインベントリー禁止処理を設定する（１０８）。そしてステップ１０９で硬貨収容部４が装置本体２に再び装着されたと判断した場合は、以降はインベントリー禁止処理が設定された状態のまま硬貨処理および硬貨払い出し処理が行われることとなる。
【００６４】
よって、上述した制御装置４０によると、一旦、ステップ１０６からステップ１０９までの各処理がなされた以降はインベントリー禁止処理が設定されたままであるから、例えば、このインベントリー禁止処理が設定された状態において、硬貨処理装置１を装着した自動販売機、両替機、サービス機器等の保守点検作業時に、当該硬貨処理装置１を機器の外部に露出させ、その際何者かがインベントリー手段３０の各スイッチ３１、３２、３３、３４、３５、３６、３７、３８を操作したとしても、インベントリー処理は行われず、従って硬貨収容部４内から硬貨が無断で払出されて持ち去られることはない。
【００６５】
なお、この制御装置４０では、ステップ１０８でインベントリー手段３０によるインベントリー禁止処理を設定する際に、同時にインベントリー手段３０のパイロットランプ４０（図１）をフリッカさせ、これによりインベントリー禁止処理が設定されている旨の表示を行わせるようにしてもよい。なお、パイロットランプ４０のフリッカはインベントリー禁止解除処理を設定した場合は停止させることはいうまでもない。
【００６６】
またインベントリー禁止処理設定の状態か、あるいはインベントリー禁止解除設定の状態であるかを区別して表示する方法として上述したように、パイロットランプ４０のフリッカとその停止の他に、単純にパイロットランプ４０の常時点灯とその停止等により区別して表示させるようにしてもよく、上述した表示方法に限定されないことは勿論である。
【００６７】
なお、ステップ１０７で特定スイッチ操作が行われなかった場合はステップ１０３以降の処理を繰り返す。
【００６８】
一方、上述したように、インベントリー禁止処理が設定されている状態から、インベントリー処理可能な状態に移行するには、ステップ１０３で示すように、再び硬貨収容部４を装置本体２から取り外すことによりカセットスイッチ５０をＯＦＦにする。
【００６９】
すると、ステップ１０６で現在インベントリー禁止解除処理設定がなされているか否かを判断することとなるが、上述したように現在はインベントリー禁止処理の設定がなされているのでＮＯとなり、ステップ１１０へ進む。
【００７０】
そして、このステップ１１０で、前述したしたのと同様に特定スイッチ操作、即ちインベントリー手段３０を構成する各スイッチ３１、３２、３３、３４、３５、３６、３７、３８等のうち予め定められた特定スイッチの操作を行うと、ステップ１１１でインベントリー禁止解除処理設定がなされる。
【００７１】
そして、ステップ１１２で、硬貨収容部４を装置本体２に再び装着すると（カセットスイッチＯＮ）、インベントリー禁止解除処理設定のまま、即ち即ちインベントリー処理可能な状態でステップ１０３以降の処理を繰り返す。
【００７２】
したがって、この間にインベントリー処理を行えば良いこととなる。
【００７３】
そして、再びインベントリー禁止処理の設定に戻すには硬貨収容部４を装置本体２から取外した後、ステップ１０６からステップ１０９までのの各処理を行えば良い。
【００７４】
ところで、上述した制御装置４０によると、装置本体２に対する硬貨収容部４の取り外し（ステップ１０３）を検出した後、インベントリー手段３０の特定スイッチ操作（ステップ１０７、１１０）を実行することにより、インベントリー禁止処理設定、あるいはインベントリー禁止解除処理設定のいずれか一方を選択させるようにしたが、この実施例では、インベントリー禁止解除処理の設定（ステップ１１１）を行うための前提条件となる装置本体２に対する硬貨収容部４の取り外し操作（ステップ１０３）は、図３で示すように、ラッチ手段６のラッチ解除を規制するキーシリンダ式ロック手段１３により制御されているから、一旦インベントリー禁止処理設定の状態となった以降は、キー１５を持っ者以外は硬貨収容部４の取り外しを行ってインベントリー禁止解除処理設定（ステップ１１１）を行うことができず、従って、キー１５を持った現金管理者のみが硬貨収容部４の脱着操作を行ってインベントリー処理を行うことができ、その他の者はインベントリー処理が出来ないこととなる。
【００７５】
なお、上記実施例の制御装置４０では、ステップ１０６で、現在のインベントリー処理に対する設定状態、即ちインベントリー禁止処理設定、あるいはインベントリー禁止解除処理設定であるか否かを判断した後、ステップ１０７、あるいはステップ１１０で同一の特定スイッチ操作によりインベントリー禁止処理設定、あるいはインベントリー禁止解除処理設定を行わせるようにしたが、この発明は上記実施例に限定されることなく、ステップ１０７、あるいはステップ１１０による特定スイッチ操作を同一スイッチ操作ではなく、それぞれ異なったスイッチ操作により判断させるようにしてもよい。
【００７６】
例えば、ステップ１０７の特定スイッチ操作として、図１に示すインベントリー手段３０を構成する各スイッチ３１、３２、３３、３４、３５、３６、３７、３８のうちスイッチ３１、３２を同時に押す操作とし、またステップ１１０の特定スイッチ操作として、図１に示すインベントリー手段３０を構成する各スイッチ３１、３２、３３、３４、３５、３６、３７、３８のうちスイッチ３３、３５同時に押す操作としてもよい。
【００７７】
【発明の効果】
以上説明したように、この発明の硬貨処理装置では、硬貨収容部の脱着とインベントリー手段の特定操作とに基づき、インベントリー処理の禁止とその解除とを行う制御装置を具えているから、インベントリー手段による特定操作を行わない限りインベントリー処理の禁止解除を行うことができず、従ってインベントリー処理を禁止した後は、自動販売機、両替機、サービス機器等の保守点検作業の際に、何者かによってインベントリー手段の各インベントリースイッチが勝手に操作され、そのためインベントリー処理が行われて硬貨収容部内から硬貨が無断で持ち去られる虞を可及的に低減することができる。
【００７８】
またインベントリー処理の禁止解除を行う前提条件となる硬貨収容部の脱着操作は、ラッチ手段のラッチ解除を規制するキーシリンダ式ロック手段により制御されているから、キーを持っ者以外は硬貨収容部の取り外しを行うことができず、従って、キーを持った現金管理者のみが硬貨収容部の脱着操作を行ってインベントリー処理を行うことができ、このため硬貨の盗難防止等の防犯効果を一層向上させることができる。
【図面の簡単な説明】
【図１】図１はこの発明に係わる硬貨処理装置の概念斜視図。
【図２】図２は図１の要部拡大正面図。
【図３】図３はこの発明に係わる硬貨処理装置の作用を示す概念斜視図。
【図４】図４は図３の要部拡大正面図。
【図５】図５はこの発明に係わる硬貨処理装置の作用を示す要部拡大正面図。
【図６】図６はこの発明に係わる硬貨処理装置の作用を示す概念斜視図。
【図７】図７は硬貨収容部を取り外した状態を示す概念斜視図。
【図８】図８はこの発明に係わる制御装置のブロック図。
【図９】図９はこの発明に係わる制御装置の作用を示すフローチャートである。
【符号の説明】
１…硬貨処理装置
４…硬貨収容部
６…ラッチ手段
１３…キーシリンダ式ロック手段
１１…ラッチレバー
１５…ストッパー片
３０…インベントリー手段
４０…制御装置
【図１】
0004002058.tif 000002
【図２】
0004002058.tif 000003
【図３】
0004002058.tif 000004
【図４】
0004002058.tif 000005
【図５】
0004002058.tif 000006
【図６】
0004002058.tif 000007
【図７】
0004002058.tif 000008
【図８】
0004002058.tif 000009
【図９】
0004002058.tif 000010